(57)【要約】      （修正有）【課題】折りたたみと展開が簡便な操作で実現でき、否使用時には小さくまとめておくことのできる使い勝手の良い散乱防止用覆いの提供。【解決手段】互いに回動可能に連結された枠状体１をコの字型に配し、その内側に蚊帳型の立体的に構成された布状体２を設けた、散乱防止用覆い。ロープ６の端部を引き上げフックＢ１３１に掛着すると該ロープ６は引き絞られることから二本合わせになったロープどうしが引き寄せられ、下部開口部５０を閉じる。投入された集積物は覆い２の裾２１上に載り、その重量によって裾２１を押さえつけるため、投入されたゴミ袋等によって前記下部開口部５０は押し広げられることが無い。ロープ６をフックＢ１３１から取り外すことによって下部開口部５０が開放され、布状体２の裾２１をつかんで手前に引き寄せるとゴミ袋は自重で滑り出し、該ゴミ袋の回収が容易である。【選択図】  図６
2007106503.tif 000002
【特許請求の範囲】
【請求項１】
複数の枠状体、又は枠の一部を切り欠いてできる門状体の複数を、折りたたみと展開が可能に連結し、当該枠状体あるいは門状体を立設したものの上部に網や布である布状体を掛着することで集積物を覆い易くしたことを特徴とする散乱防止用覆い。
【請求項２】
前記枠状体、又は前記門状体を横中間部で切断し、該切断部を突き合わせて折りたたみと展開が可能に連結し、該枠状体あるいは門状体を立設したものの上部に網や布である布状体を掛着することで集積物を覆い易くしたことを特徴とする散乱防止用覆い。
【請求項３】
枠状体又は門状体の複数を立設し、俯瞰した場合に前記枠状体又は門状体が交差するように組み合わせて連結し、該枠状体あるいは門状体を立設したものの上部に網や布である布状体を掛着し、集積物を覆い易くしたことを特徴とする散乱防止用覆い。
【発明の詳細な説明】
【技術分野】
【０００１】
本発明はごみ集荷場や廃品回収等におけるごみ等、集積物の散乱を防止する散乱防止用覆いに関するものである。
【背景技術】
【０００２】
近年，都市部ではカラスが生ごみの入ったごみ袋を切り裂いて，中の残飯等を食いあさり，袋の内容物を路上等に散乱させる被害が日常化している。強固な収納庫や収納箱を用いればこれらの被害は防げるが，ごみ集荷場を路上の一角に設定しなければならないという事情がこのごみ収納庫や収納箱の設置を防げている。また，内部の見えないごみ箱の設置は，内部の汚れを放置することにつながり，悪臭等非衛生的な結果を招きやすい欠陥を持っている。そこで，カラス等鳥獣によるごみの散乱被害を食い止めるためにいくつもの発明がなされ，出願もされている。
【０００３】
【特許文献１】特許第３４９１２６２号  特許第３４９１２６２号広報に記載された発明は「ネット（１）の左右縁枠の点と、それより大きなネット（２）の左右縁枠の点をそれぞれ接合し、長さの異なる縁枠を壁に寄せながら縫合し、ネット（１）の縁枠下側の一部に棒を取り付けてゴミ集積ネットを構成、正面のふたが下方に開くそのゴミ集積ネットの収納ケースを固定柱に取り付け、そのケース上部の左右の壁には棒を差し込み、固定できる溝を設け、ケース下部にネット（１）とネット（２）が縫合されてなるネットの上部を固定、そのケースから垂らしたネット（１）の長さがケースから地面の高さより長いことを特徴とする収納ケース付ゴミ集積ネット。」（請求項１）である。
【０００４】
前記特許第３４９１２６２号広報に記載された発明は「ネット（１）の縁枠下側の一部に棒を取り付けて」「ゴミ集積ネットの収納ケース」の「上部の左右の壁には棒を差し込み、固定できる溝を設け」てある。当該棒は使用時には取り外されて、前記収納ケースから下に垂れ下がることになる。収納ケースの製造には費用がかかるとともに、集積物を覆う効果は一般の風呂敷型の覆いと同様である。単純な構成であり、廉価に製造でき、折り畳み可能で場所をとらず、取り扱いの簡便な散乱防止用覆いが望まれる。
【発明の開示】
【発明が解決しようとする課題】
【０００５】
折りたたみと展開が簡便な操作で実現でき、否使用時には小さくまとめておくことのできる使い勝手の良い散乱防止用覆いを供すること。
【課題を解決するための手段】
【０００６】
複数の枠状体、又は枠の一部を切り欠いてできる門状体の複数を、折りたたみと展開が可能に連結し、当該枠状体あるいは門状体を立設したものの上部に網や布である布状体を掛着することで集積物を覆い易くしたことを特徴とする散乱防止用覆いを供する。
【０００７】
前記枠状体、又は前記門状体を横中間部で切断し、該切断部を突き合わせて折りたたみと展開が可能に連結し、該枠状体あるいは門状体を立設したものの上部に網や布である布状体を掛着することで集積物を覆い易くしたことを特徴とする散乱防止用覆いを供する。
【０００８】
枠状体又は門状体の複数を立設し、俯瞰した場合に前記枠状体又は門状体が交差するように組み合わせて連結し、該枠状体あるいは門状体を立設したものの上部に網や布である布状体を掛着し、集積物を覆い易くしたことを特徴とする散乱防止用覆いを供する。
【発明の効果】
【０００９】
複数の枠状体、又は枠の一部を切り欠いてできる門状体の複数を、折りたたみと展開が可能に連結し、当該枠状体あるいは門状体を立設したものの上部に網や布である布状体を掛着することで集積物を覆い易くしたことを特徴とする散乱防止用覆いであるため，次の効果を奏する。
【００１０】
複数の枠状体、又は枠の一部を切り欠いてできる門状体の複数を、折りたたみと展開が可能に連結してあるため、製造が極めて容易であり、支柱に覆いを取り付けた場合に比べ、て支柱を立てる作業が必要なく、壁や塀に寄りかけておけば機能が果たせる。折りたたみや展開も容易であって、取り扱いが簡便である。
【００１１】
前記枠状体、又は前記門状体を横中間部で切断し、該切断部を突き合わせて折りたたみと展開が可能に連結し、該枠状体あるいは門状体を立設したものの上部に網や布である布状体を掛着することで集積物を覆い易くしたことを特徴とする散乱防止用覆いであるため，次の効果を奏する。
【００１２】
極めて単純な構成で、折りたたみの容易な散乱防止用覆いが実現できる。
【００１３】
枠状体又は門状体の複数を立設し、俯瞰した場合に前記枠状体又は門状体が交差するように組み合わせて連結し、該枠状体あるいは門状体を立設したものの上部に網や布である布状体を掛着し、集積物を覆い易くしたことを特徴とする散乱防止用覆いであるため，次の効果を奏する。
【００１４】
極めて単純な構成で、折りたたみの容易な散乱防止用覆いが実現できる。
【発明を実施するための最良の形態】
【００１５】
本願発明の目的は簡便に折り畳むことができ、否使用時には小さくまとめておくことのできる散乱防止用覆いを供することにある。なお、請求項と明細書における「門状体」とは矩形の枠の一部を切り欠いた状態のものを指し、前記枠状体において、設置する際の上下左右のどの位置が欠けているかは問わないものとする。枠状体あるいは門状体を折りたたみあるいは展開することで、該枠状体、あるいは門状体に取り付けられた布状体を折りたたむことで否使用時に見苦しくなくまとめることができるようにし、展開することで覆いとして使用可能となる使い勝手の良い散乱防止用覆いが実現できる。以下図に基づいて具体的に述べる。
【実施例１】
【００１６】
図１は実施例１の斜視図である。本図では、枠状体１の複数が横に並べられ、該枠状体１を構成する辺部材１１１の内、隣り合う枠の辺部材Ａ１１２と他の枠の辺部材Ｂ１１３が共に挿嵌された結合具１２によって、前記枠状体１が互いに回動可能又は振動可能に連結されている。枠状体１を構成する辺部材１１１あるいは結合具１２に係止部であるフック１３を設ける。
【００１７】
該枠状体１を立設したものの上部にフック１３を設け、散乱防止用覆いの主体である布状体２を掛着する。本図では布状体２の中央近くを摘み上げ、フック１３に掛着してある。使用に当たっては布状体２の裾２１を摘み上げて集積物であるゴミ袋３等を布状体２の下に押し込む。ゴミ袋の回収が済んだときなど、否使用時には前記枠状体１を折り畳むことで布状体を小さく畳んで美観を保つことができる。折り畳みは枠状体１を矢印４の方向に回動させ観音開き状にする他、一方の矢印を逆方向に回動させることで、Ｚ状即ち屏風状に折り畳んで収納することが可能である。
【実施例２】
【００１８】
図２は実施例２の斜視図である。本図は、前記枠状体１の使用時に下端となる一辺を切り欠いて門状体１０としたものを横に複数並べ、実施例１と同様の方法で連結したものである。前期実施例１と比較した場合強度が落ちるものの、床部に凹凸がある場合には凸部を跨ぐことで凹凸の影響を避けることができる。門状体は図のように補強材１０２を設けることや、横の辺部材１０１を板状にするなどして強度を高めることができる。使用方法及び収納の方法については実施例１と同様である。
【実施例３】
【００１９】
図３は実施例３の斜視図である。本図は、単一の枠状体１を中間部で切断し、折り畳み自在とした例である。前記の枠状体1の上部と下部に位置する二つの辺部材１１１（１）を横中間部で切断し、切断されてできたコの字型の端部どうしを前記切断点で回動可能あるいは振動可能に連結し、折り畳みと展開を可能とし、布状体２用の支持体とする。連結の仕方は向かい合った切断点にそれぞれ連結部１４を設け、回転軸１５によって結合される。枠状体１を構成する辺部材１１１あるいは連結部１４にフック１３を設ける。布状体２の中央近くを摘み上げ、フック１３に掛着する点、布状体２の裾２１を摘み上げて集積物を中に押し込む点は実施例１と同様である。枠状体１を折り畳むことで掛着された布状体２が同時に折り畳まれて美観を保つ等、効果も同様である。連結点をバネやゴム状体でつなぐなど、連結の方法が他のものであっても、回動や振動あるいは折り畳む際に連結部を取り外すものなど、折り畳み自在に連結したものであれば同一の効果を発揮する。尚、前記枠状体１下部のを辺部材１１１（１）を省略し門状体とした場合であっても上部の辺部材を幅広にするなどの手段により強度を高めれば本実施例と同様の効果が得られる。
【実施例４】
【００２０】
図４は実施例４の斜視図である。複数の門状体１０、本図では二つの門状体１０を、横の辺部材１０１がＸ字状になるように交差させ、該交点を回転軸１５によって回動あるいは振動可能に連結したものである。前記横の辺部材１０１の端部を端部Ａ１０１１、端部Ｂ１０１２、端部Ｃ１０１３、端部Ｄ１０１４とし、該端部のそれぞれにフック１３を設けて立体的に縫製された布状体２を掛着する。前記横の辺部材１０１に前記フック１３から中央寄りに離れてフックＢ１３１を設ける。布状体２を緊張状態を保って掛着した場合には該布状体２が前記端部どうしを引き合って該端部の位置を固定するため全体の形状を安定させる。
【００２１】
否使用時には隣り合う前記端部Ａ１０１１と端部Ｂ１０１２を矢印４の方向に寄せることにより全体を折り畳む。布状体２がたるませて設置されている場合には単に矢印４の方向に辺部材１０１の端部を寄せ合うだけでよいが、布状体２が緊張状態を保ってフック１３に掛着されている場合には、前記、寄せ合う関係にない前記端部どうし、本図では端部Ａ１０１１と端部Ｄ１０１４の間、端部Ｂ１０１２と端部Ｃ１０１３の間の長さが引き延ばされることになることから折り畳むことが不可能となるため、係止した布状体の片側をはずし、フックＢ１３１にかけ直す必要がある。
【実施例５】
【００２２】
図５は実施例５の斜視図である。本実施例は、前記実施例４における門状体１０を天地逆に設置し、前記横の辺部材１０１を床に着けて設置し、該横の辺部材１０１の端部に柱部１０３を立設する。該柱部１０３の上部にフック１３を設ける。立体的に構成された布状体２の隅に係止孔２２を設け、前記フック１３に掛着して蚊帳型の覆いとする。本実施例では布状体２を蚊帳型に構成し、天井部を切り裂いて投入口５とし、該投入口の周辺に「さがり」５１を設ける。該天井部にゴミ袋３を放り投げると該ゴミ袋３の重量で天井部が沈み込み、投入口５に向かって転がり、覆い内部に転落する。
【００２３】
本実施例は実施例４と比べ、投入口５からゴミ袋３等を投入する際に前記横の辺部材１０１が下にあるためじゃまにならず、投入がし易い。反面、柱部１０３の先端を支えるものがないため、強度のある素材の使用や、前記柱部１０３と横の辺部材１０１の接続部に補強をするなど、強度を高める必要がある。本実施例と前記実施例４は門状体１０を枠状体１に置き換え、該枠状体１の横の辺が前記Ｘ字状になるように交差させても同様の効果が得られる。また、門状体の内の一つを２分割し、それぞれの切断部を位置をずらして辺部材に１０１に連結すれば、横長の覆いとすることができる。
【実施例６】
【００２４】
図６は実施例６の斜視図である。本実施例は、三つの、互いに回動又は振動可能にに連結された枠状体１をコの字型に配し、その内側に蚊帳型の立体的に構成された布状体２を設けた、散乱防止用覆いに関するものである。三つの、互いに回動又は振動可能にに連結された枠状体１をコの字型に配してあるため、立体的に構成された覆い２を掛着するのには都合がよいと同時に折り畳みが容易である。また、布状体２に重量がかかってもコの字型であるため倒れることなく安定して自立できる。
【００２５】
蚊帳型の布状体２は天井部２３の四隅を前記枠状体１１の上部あるいは結合具１２に設けたフック１３に掛着する。天井部２３を切り裂くか２枚の布状体を寄せ合わせてすき間を投入口５とし、該投入口の周辺に「さがり」５１を設ける。ゴミ袋３を天井部２３に載せると、該天井部２３がゴミ袋３の重量で沈み込み、該ゴミ袋３は投入口５を経由して布状体２の内部に転げ落ちる。投入口５の周囲に設けた「さがり」５１が鳥獣が侵入することを防ぐ。下部開口部５０の周囲即ち布状体２の裾２１の端部付近に絞り込み手段であるロープ６を輪のようにして絞り込み可能に配する。コの字型の両端即ち突出する枠状体Ｂ１１の下の辺部材１１４にリングＡ６１を設けて前記ロープ６の一端を掛着し、、他の枠状体Ｂ１１の下の辺部材１１４にリングＢ６２を設けて該ロープの一端を挿嵌し、その端部を適宜設けたフックＢ１３１に掛着する。
【００２６】
ロープ６の端部を引き上げフックＢ１３１に掛着すると該ロープ６は引き絞られることから二本合わせになったロープどうしが引き寄せられ、下部開口部５０を閉じる。投入された集積物３は覆い２の裾２１上に載り、その重量によって裾２１を押さえつけるため、投入されたゴミ袋３等によって前記下部開口部５０は押し広げられることが無い。また、鳥獣が裾から集積物を引き出すこともできなくなる。ロープ６をフックＢ１３１から取り外すことによって下部開口部５０が開放され、布状体２の裾２１をつかんで手前に引き寄せるとゴミ袋は自重で滑り出し、該ゴミ袋の回収が容易である。
【図面の簡単な説明】
【００２７】
【図１】実施例１の斜視図である。
【図２】実施例２の斜視図である。
【図３】実施例３の斜視図である。
【図４】実施例４の斜視図である。
【図５】実施例５の斜視図である。
【図６】実施例６の斜視図である。
【符号の説明】
【００２８】
１  枠状体１                                    
１０  門状体                                    
１０１  横の辺部材                            １
１０１１  端部Ａ                                
１０１２  端部Ｂ                                
１０１３  端部Ｃ
１０１４  端部Ｄ
１０２  補強材
１０３  柱部
１１  枠状体Ｂ
１１１  辺部材
１１２  辺部材Ａ
１１３  辺部材Ｂ
１１４  下の辺部材
１２  結合具
１３  フック
１３１  フックＢ
１４  連結部
１５  回転軸
２  布状体
２１  裾
２２  係止孔
２３  天井部
３  ゴミ袋
４  矢印
５  投入口
５０  下部開口部
５１  「さがり」
６  ロープ 
６１  リングＡ
６２  リングＢ
【図１】
2007106503.tif 000003
【図２】
2007106503.tif 000004
【図３】
2007106503.tif 000005
【図４】
2007106503.tif 000006
【図５】
2007106503.tif 000007
【図６】
2007106503.tif 000008
【手続補正書】
【提出日】平成18年2月10日(2006.2.10)
【手続補正１】
【補正対象書類名】特許請求の範囲
【補正対象項目名】全文
【補正方法】変更
【補正の内容】
【特許請求の範囲】
【請求項１】
複数の枠状体、又は枠の一部を切り欠いてできる門状体の複数を、折りたたみと展開が可能に連結し、当該枠状体あるいは門状体を立設したものの上部に、網や布であり、上部に開口して投入口とした布状体を係着し、前記枠状体を展開することで覆いとして使用可能となることを特徴とする散乱防止用覆い。
【請求項２】
前記枠状体、又は前記門状体を横中間部で切断し、該切断部を突き合わせて折りたたみと展開が可能に連結し、該枠状体あるいは門状体を立設したものの上部に、網や布であり、上部に開口して投入口とした布状体を掛着し、前記枠状体を展開することで覆いとして使用可能となることを特徴とする散乱防止用覆い。
【手続補正２】
【補正対象書類名】明細書
【補正対象項目名】全文
【補正方法】変更
【補正の内容】
【発明の詳細な説明】
【技術分野】
【０００１】        本発明はごみ集荷場や廃品回収等におけるごみ等、集積物の散乱を防止する散乱防止用覆いに関するものである。
【背景技術】
【０００２】        近年，都市部ではカラスが生ごみの入ったごみ袋を切り裂いて，中の残飯等を食いあさり，袋の内容物を路上等に散乱させる被害が日常化している。強固な収納庫や収納箱を用いればこれらの被害は防げるが，ごみ集荷場を路上の一角に設定しなければならないという事情がこのごみ収納庫や収納箱の設置を防げている。また，内部の見えないごみ箱の設置は，内部の汚れを放置することにつながり，悪臭等非衛生的な結果を招きやすい欠陥を持っている。そこで，カラス等鳥獣によるごみの散乱被害を食い止めるためにいくつもの発明がなされ，出願もされている。【０００３】
【特許文献１】特許第３４９１２６２号      特許第３４９１２６２号広報に記載された発明は「ネット（１）の左右縁枠の点と、それより大きなネット（２）の左右縁枠の点をそれぞれ接合し、長さの異なる縁枠を壁に寄せながら縫合し、ネット（１）の縁枠下側の一部に棒を取り付けてゴミ集積ネットを構成、正面のふたが下方に開くそのゴミ集積ネットの収納ケースを固定柱に取り付け、そのケース上部の左右の壁には棒を差し込み、固定できる溝を設け、ケース下部にネット（１）とネット（２）が縫合されてなるネットの上部を固定、そのケースから垂らしたネット（１）の長さがケースから地面の高さより長いことを特徴とする収納ケース付ゴミ集積ネット。」（請求項１）である。
【０００４】      前記特許第３４９１２６２号広報に記載された発明は「ネット（１）の縁枠下側の一部に棒を取り付けて」「ゴミ集積ネットの収納ケース」の「上部の左右の壁には棒を差し込み、固定できる溝を設け」てある。当該棒は使用時には取り外されて、前記収納ケースから下に垂れ下がることになる。収納ケースの製造には費用がかかるとともに、集積物を覆う効果は一般の風呂敷型の覆いと同様である。単純な構成であり、廉価に製造でき、折り畳み可能で場所をとらず、取り扱いの簡便な散乱防止用覆いが望まれる。 
【発明の開示】
【発明が解決しようとする課題】
【０００５】        折りたたみと展開が簡便な操作で実現でき、否使用時には小さくまとめておくことのできる使い勝手の良い散乱防止用覆いを供すること。 
【課題を解決するための手段】
【０００６】        複数の枠状体、又は枠の一部を切り欠いてできる門状体の複数を、折りたたみと展開が可能に連結し、当該枠状体あるいは門状体を立設したものの上部に、網や布であり、上部に開口して投入口とした布状体を係着し、前記枠状体を展開することで覆いとして使用可能となることを特徴とする散乱防止用覆いを供する。【０００７】        前記枠状体、又は前記門状体を横中間部で切断し、該切断部を突き合わせて折りたたみと展開が可能に連結し、該枠状体あるいは門状体を立設したものの上部に、網や布であり、上部に開口して投入口とした布状体を掛着し、前記枠状体を展開することで覆いとして使用可能となることを特徴とする散乱防止用覆いを供する。 
【発明の効果】
【０００８】        複数の枠状体、又は枠の一部を切り欠いてできる門状体の複数を、折りたたみと展開が可能に連結し、当該枠状体あるいは門状体を立設したものの上部に、網や布であり、上部に開口して投入口とした布状体を係着し、前記枠状体を展開することで覆いとして使用可能となることを特徴とする散乱防止用覆いであるため，次の効果を奏する。【０００９】        複数の枠状体、又は枠の一部を切り欠いてできる門状体の複数を、折りたたみと展開が可能に連結してあるため、製造が極めて容易であり、支柱に覆いを取り付けた場合に比べて支柱を立てる作業が必要なく、壁や塀に寄りかけておけば機能が果たせる。折りたたみや展開も容易であって、取り扱いが簡便である。【００１０】        前記枠状体、又は前記門状体を横中間部で切断し、該切断部を突き合わせて折りたたみと展開が可能に連結し、該枠状体あるいは門状体を立設したものの上部に、網や布であり、上部に開口して投入口とした布状体を掛着し、前記枠状体を展開することで覆いとして使用可能となることを特徴とする散乱防止用覆いであるため，次の効果を奏する。【００１１】        極めて単純な構成で、折りたたみの容易な散乱防止用覆いが実現できる。 
【発明を実施するための最良の形態】
【００１２】        本願発明の目的は簡便に折り畳むことができ、否使用時には小さくまとめておくことのできる散乱防止用覆いを供することにある。なお、請求項と明細書における「門状体」とは矩形の枠の一部を切り欠いた状態のものを指し、前記枠状体において、設置する際の上下左右のどの位置が欠けているかは問わないものとする。枠状体あるいは門状体を折りたたみあるいは展開することで、該枠状体、あるいは門状体に取り付けられた布状体を折りたたむことで否使用時に見苦しくなくまとめることができるようにし、展開することで覆いとして使用可能となる使い勝手の良い散乱防止用覆いが実現できる。以下図に基づいて具体的に述べる。
【実施例１】
【００１３】        図１は実施例１の斜視図である。本図では、枠状体１の複数が横に並べられ、該枠状体１を構成する辺部材１１１の内、隣り合う枠の辺部材Ａ１１２と他の枠の辺部材Ｂ１１３が共に挿嵌された結合具１２によって、前記枠状体１が互いに回動可能又は振動可能に連結されている。枠状体１を構成する辺部材１１１あるいは結合具１２に係止部であるフック１３を設ける。【００１４】        該枠状体１を立設したものの上部にフック１３を設け、散乱防止用覆いの主体である布状体２を掛着する。本図では布状体２の中央近くを摘み上げ、フック１３に掛着してある。使用に当たっては布状体２の裾２１を摘み上げて集積物であるゴミ袋３等を布状体２の下に押し込む。ゴミ袋の回収が済んだときなど、否使用時には前記枠状体１を折り畳むことで布状体を小さく畳んで美観を保つことができる。折り畳みは枠状体１を矢印４の方向に回動させ観音開き状にする他、一方の矢印を逆方向に回動させることで、Ｚ状即ち屏風状に折り畳んで収納することが可能である。
【実施例２】
【００１５】        図２は実施例２の斜視図である。本図は、前記枠状体１の使用時に下端となる一辺を切り欠いて門状体１０としたものを横に複数並べ、実施例１と同様の方法で連結したものである。前期実施例１と比較した場合強度が落ちるものの、床部に凹凸がある場合には凸部を跨ぐことで凹凸の影響を避けることができる。門状体は図のように補強材１０２を設けることや、横の辺部材１０１を板状にするなどして強度を高めることができる。使用方法及び収納の方法については実施例１と同様である。
【実施例３】
【００１６】        図３は実施例３の斜視図である。本図は、単一の枠状体１を中間部で切断し、折り畳み自在とした例である。前記の枠状体1の上部と下部に位置する二つの辺部材１１１（１）を横中間部で切断し、切断されてできたコの字型の端部どうしを前記切断点で回動可能あるいは振動可能に連結し、折り畳みと展開を可能とし、布状体２用の支持体とする。連結の仕方は向かい合った切断点にそれぞれ連結部１４を設け、回転軸１５によって結合される。枠状体１を構成する辺部材１１１あるいは連結部１４にフック１３を設ける。布状体２の中央近くを摘み上げ、フック１３に掛着する点、布状体２の裾２１を摘み上げて集積物を中に押し込む点は実施例１と同様である。枠状体１を折り畳むことで掛着された布状体２が同時に折り畳まれて美観を保つ等、効果も同様である。連結点をバネやゴム状体でつなぐなど、連結の方法が他のものであっても、回動や振動あるいは折り畳む際に連結部を取り外すものなど、折り畳み自在に連結したものであれば同一の効果を発揮する。尚、前記枠状体１下部のを辺部材１１１（１）を省略し門状体とした場合であっても上部の辺部材を幅広にするなどの手段により強度を高めれば本実施例と同様の効果が得られる。
【実施例４】
【００１７】        図４は実施例４の斜視図である。複数の門状体１０、本図では二つの門状体１０を、横の辺部材１０１がＸ字状になるように交差させ、該交点を回転軸１５によって回動あるいは振動可能に連結したものである。前記横の辺部材１０１の端部を端部Ａ１０１１、端部Ｂ１０１２、端部Ｃ１０１３、端部Ｄ１０１４とし、該端部のそれぞれにフック１３を設けて立体的に縫製された布状体２を掛着する。前記横の辺部材１０１に前記フック１３から中央寄りに離れてフックＢ１３１を設ける。布状体２を緊張状態を保って掛着した場合には該布状体２が前記端部どうしを引き合って該端部の位置を固定するため全体の形状を安定させる。【００１８】        否使用時には隣り合う前記端部Ａ１０１１と端部Ｂ１０１２を矢印４の方向に寄せることにより全体を折り畳む。布状体２がたるませて設置されている場合には単に矢印４の方向に辺部材１０１の端部を寄せ合うだけでよいが、布状体２が緊張状態を保ってフック１３に掛着されている場合には、前記、寄せ合う関係にない前記端部どうし、本図では端部Ａ１０１１と端部Ｄ１０１４の間、端部Ｂ１０１２と端部Ｃ１０１３の間の長さが引き延ばされることになることから折り畳むことが不可能となるため、係止した布状体の片側をはずし、フックＢ１３１にかけ直す必要がある。
【実施例５】
【００１９】        図５は実施例５の斜視図である。本実施例は、前記実施例４における門状体１０を天地逆に設置し、前記横の辺部材１０１を床に着けて設置し、該横の辺部材１０１の端部に柱部１０３を立設する。該柱部１０３の上部にフック１３を設ける。立体的に構成された布状体２の隅に係止孔２２を設け、前記フック１３に掛着して蚊帳型の覆いとする。本実施例では布状体２を蚊帳型に構成し、天井部を切り裂いて投入口５とし、該投入口の周辺に「さがり」５１を設ける。該天井部にゴミ袋３を放り投げると該ゴミ袋３の重量で天井部が沈み込み、投入口５に向かって転がり、覆い内部に転落する。【００２０】        本実施例は実施例４と比べ、投入口５からゴミ袋３等を投入する際に前記横の辺部材１０１が下にあるためじゃまにならず、投入がし易い。反面、柱部１０３の先端を支えるものがないため、強度のある素材の使用や、前記柱部１０３と横の辺部材１０１の接続部に補強をするなど、強度を高める必要がある。本実施例と前記実施例４は門状体１０を枠状体１に置き換え、該枠状体１の横の辺が前記Ｘ字状になるように交差させても同様の効果が得られる。また、門状体の内の一つを２分割し、それぞれの切断部を位置をずらして辺部材に１０１に連結すれば、横長の覆いとすることができる。
【実施例６】
【００２１】        図６は実施例６の斜視図である。本実施例は、三つの、互いに回動又は振動可能にに連結された枠状体１をコの字型に配し、その内側に蚊帳型の立体的に構成された布状体２を設けた、散乱防止用覆いに関するものである。三つの、互いに回動又は振動可能にに連結された枠状体１をコの字型に配してあるため、立体的に構成された覆い２を掛着するのには都合がよいと同時に折り畳みが容易である。また、布状体２に重量がかかってもコの字型であるため倒れることなく安定して自立できる。【００２２】        蚊帳型の布状体２は天井部２３の四隅を前記枠状体１１の上部あるいは結合具１２に設けたフック１３に掛着する。天井部２３を切り裂くか２枚の布状体を寄せ合わせてすき間を投入口５とし、該投入口の周辺に「さがり」５１を設ける。ゴミ袋３を天井部２３に載せると、該天井部２３がゴミ袋３の重量で沈み込み、該ゴミ袋３は投入口５を経由して布状体２の内部に転げ落ちる。投入口５の周囲に設けた「さがり」５１が鳥獣が侵入することを防ぐ。下部開口部５０の周囲即ち布状体２の裾２１の端部付近に絞り込み手段であるロープ６を輪のようにして絞り込み可能に配する。コの字型の両端即ち突出する枠状体Ｂ１１の下の辺部材１１４にリングＡ６１を設けて前記ロープ６の一端を掛着し、、他の枠状体Ｂ１１の下の辺部材１１４にリングＢ６２を設けて該ロープの一端を挿嵌し、その端部を適宜設けたフックＢ１３１に掛着する。【００２３】        ロープ６の端部を引き上げフックＢ１３１に掛着すると該ロープ６は引き絞られることから二本合わせになったロープどうしが引き寄せられ、下部開口部５０を閉じる。投入された集積物３は覆い２の裾２１上に載り、その重量によって裾２１を押さえつけるため、投入されたゴミ袋３等によって前記下部開口部５０は押し広げられることが無い。また、鳥獣が裾から集積物を引き出すこともできなくなる。ロープ６をフックＢ１３１から取り外すことによって下部開口部５０が開放され、布状体２の裾２１をつかんで手前に引き寄せるとゴミ袋は自重で滑り出し、該ゴミ袋の回収が容易である。 
【図面の簡単な説明】
【００２４】
【図１】実施例１の斜視図である。
【図２】実施例２の斜視図である。
【図３】実施例３の斜視図である。
【図４】実施例４の斜視図である。
【図５】実施例５の斜視図である。
【図６】実施例６の斜視図である。
【符号の説明】
【００２５】          １  枠状体                                              １０  門状体                                              １０１  横の辺部材                                      １０１１  端部Ａ                                          １０１２  端部Ｂ                                          １０１３  端部Ｃ          １０１４  端部Ｄ          １０２  補強材          １０３  柱部          １１  枠状体Ｂ          １１１  辺部材          １１２  辺部材Ａ          １１３  辺部材Ｂ          １１４  下の辺部材          １２  結合具          １３  フック          １３１  フックＢ          １４  連結部          １５  回転軸          ２  布状体          ２１  裾          ２２  係止孔          ２３  天井部          ３  ゴミ袋          ４  矢印          ５  投入口          ５０  下部開口部          ５１  「さがり」          ６  ロープ           ６１  リングＡ          ６２  リングＢ